(57)【特許請求の範囲】
【請求項１】
生体組織に対して高周波処置を施す高周波処置具のための電源装置であって、
前記高周波処置具に供給する第１の周波数を有する電力を出力する出力部と、
前記出力部から出力される前記電力が過剰となる前に発生する特徴信号であって、前記電力に係る信号に含まれている前記第１の周波数よりも高い第２の周波数を有する前記特徴信号を検出する特徴検出部と、
所定期間を計測するタイマを有し、前記特徴信号が検出されたときに、前記出力部による前記電力の出力を、停止又は低減させるための停止信号を前記所定期間だけ出力する停止信号生成部と、
を備える電源装置。
【請求項２】
前記特徴検出部は、前記電力の信号である第１の信号と、前記電力の信号に対して前記第２の周波数よりも低い周波数を有する信号を通過させるローパスフィルタを通過した第２の信号とを比較して、前記第１の信号の信号値が前記第２の信号の信号値よりも大きくなったときに、前記特徴信号を検出したと判定する、請求項１に記載の電源装置。
【請求項３】
前記特徴検出部は、前記第２の信号に正のバイアスをかけた第３の信号と、前記第１の信号とを比較して、前記第１の信号の信号値が前記第３の信号の信号値よりも大きくなったときに、前記特徴信号を検出したと判定する、請求項２に記載の電源装置。
【請求項４】
前記特徴検出部は、前記第２の信号に負のバイアスをかけた第４の信号と、前記第１の信号とを比較して、前記第１の信号の信号値が前記第４の信号の信号値よりも小さくなったときに、前記特徴信号を検出したと判定する、請求項２に記載の電源装置。
【請求項５】
前記特徴検出部は、前記第１の信号に負のバイアスをかけた第５の信号と、前記第２の信号とを比較して、前記第５の信号の信号値が前記第２の信号の信号値よりも大きくなったときに、前記特徴信号を検出したと判定する、請求項２に記載の電源装置。
【請求項６】
前記特徴検出部は、前記第１の信号に正のバイアスをかけた第６の信号と、前記第２の信号とを比較して、前記第６の信号の信号値が前記第２の信号の信号値よりも小さくなったときに、前記特徴信号を検出したと判定する、請求項２に記載の電源装置。
【請求項７】
前記特徴検出部は、前記電力の信号に対して前記第２の周波数の信号を通過させるバンドパスフィルタを通過した信号に基づいて、前記特徴信号の検出を行う、請求項１に記載の電源装置。
【請求項８】
前記特徴検出部は、
電流値に基づいて前記特徴信号を検出する電流検出部と、
電圧値に基づいて前記特徴信号を検出する電圧検出部と、
前記電力に基づいて、回路のインピーダンスを算出するインピーダンス算出回路と、
前記インピーダンスが低いときは前記電流検出部に前記特徴信号を検出させ、前記インピーダンスが高いときは前記電圧検出部に前記特徴信号を検出させる切替回路と、
を備える請求項１に記載の電源装置。
【請求項９】
請求項１に記載の電源装置と、
前記電源装置に接続される前記高周波処置具と
を備える高周波処置システム。
【請求項１０】
生体組織に対して高周波処置を施す高周波処置具のための電源装置の作動方法であって、
出力部が、前記高周波処置具に供給する第１の周波数を有する電力を出力することと、
特徴検出部が、出力される前記電力が過剰となる前に発生する特徴信号であって、前記電力に係る信号に含まれている前記第１の周波数よりも高い第２の周波数を有する前記特徴信号を検出することと、
停止信号生成部が、前記特徴信号が検出されたときに、前記電力の出力を、停止又は低減させるための停止信号を所定期間だけ出力することと、
を含む作動方法。
【発明の詳細な説明】
【技術分野】
【０００１】
本発明は、高周波処置具のための電源装置、高周波処置システム、及び電源装置の作動方法に関する。
【背景技術】
【０００２】
処置対象である生体組織に高周波電流を流すことで、当該生体組織を加熱して処置を施す高周波処置に用いられる処置具が知られている。このような高周波処置具の出力は、正確に制御されることが好ましい。【０００３】
例えば国際公開第２０１０／０６４５３０号には、次のようにして高周波処置具が意図しない挙動を示さないようにする技術が開示されている。すなわち、この高周波処置具は、回路のインピーダンスと高周波電圧の波形の直流成分とを取得する。インピーダンスが所定の範囲にあるときに、この直流成分が所定の閾値以上にならないように出力が制御される。その結果、高周波処置具が意図しない挙動を示さないようになる。
【発明の概要】
【０００４】
高周波処置具において、例えば、電極が鉗子などの金属に触れたとき、意図しない過剰な電流が流れることがある。高周波処置具において、出力はできる限り精度高く制御されることが求められる。
【０００５】
本発明は、過剰な出力を抑制できる高周波処置具のための電源装置、高周波処置システム、及び電源装置の作動方法を提供することを目的とする。
【０００６】
本発明の一態様によれば、生体組織に対して高周波処置を施す高周波処置具のための電源装置は、前記高周波処置具に供給する第１の周波数を有する電力を出力する出力部と、前記出力部から出力される前記電力が過剰となる前に発生する特徴信号であって、前記電力に係る信号に含まれている前記第１の周波数よりも高い第２の周波数を有する前記特徴信号を検出する特徴検出部と、所定期間を計測するタイマを有し、前記特徴信号が検出されたときに、前記出力部による前記電力の出力を、停止又は低減させるための停止信号を前記所定期間だけ出力する停止信号生成部と、を備える。
【０００７】
本発明の一態様によれば、高周波処置システムは、上記の電源装置と、前記電源装置に接続される前記高周波処置具とを備える。
【０００８】
本発明の一態様によれば、生体組織に対して高周波処置を施す高周波処置具のための電源装置の作動方法は、出力部が、前記高周波処置具に供給する第１の周波数を有する電力を出力することと、特徴検出部が、出力される前記電力が過剰となる前に発生する特徴信号であって、前記電力に係る信号に含まれている前記第１の周波数よりも高い第２の周波数を有する前記特徴信号を検出することと、停止信号生成部が、前記特徴信号が検出されたときに、前記電力の出力を、停止又は低減させるための停止信号を所定期間だけ出力することと、を含む。
【０００９】
本発明によれば、過剰な出力を抑制できる高周波処置具のための電源装置、高周波処置システム、及び電源装置の作動方法を提供できる。
【図面の簡単な説明】
【００１０】
【図１】図１は、第１の実施形態に係る高周波処置システムの構成例の概略を示すブロック図である。
【図２】図２は、第１の実施形態に係る高周波処置システムの一例の外観の概略を示す図である。
【図３】図３は、第１の実施形態に係る電気パラメータ検出部、特徴検出部及び停止信号生成部の構成例の概略を示すブロック図である。
【図４】図４は、第１の実施形態に係る電源装置の動作の概略を説明するためのフローチャートである。
【図５】図５は、出力される高周波電流について説明するための図である。
【図６】図６は、出力される高周波電流について説明するための図である。
【図７】図７は、出力される高周波電流について説明するための図である。
【図８】図８は、第１のローパスフィルタを通過した後の第１の高周波電流について説明するための図である。
【図９】図９は、特徴電流が検出されたときの出力の切り替えについて説明するための図である。
【図１０】図１０は、第１の実施形態の利点について説明するための図である。
【図１１】図１１は、第１の実施形態の第１の変形例に係る特徴検出部の構成例の概略を示すブロック図である。
【図１２】図１２は、第１の実施形態の第２の変形例に係る特徴検出部の構成例の概略を示すブロック図である。
【図１３】図１３は、第１の実施形態の第２の変形例に係る高周波電流及びコンパレータの出力について説明するための図である。
【図１４】図１４は、第１の実施形態の第３の変形例に係る特徴検出部の構成例の概略を示すブロック図である。
【図１５】図１５は、第１の実施形態の第３の変形例に係る高周波電流及びコンパレータの出力について説明するための図である。
【図１６】図１６は、第１の実施形態の第４の変形例に係る特徴電流が検出されたときの出力の切り替えについて説明するための図である。
【図１７】図１７は、第１の実施形態の第５の変形例に係る特徴電流が検出されたときの出力の切り替えについて説明するための図である。
【図１８】図１８は、第１の実施形態の第６の変形例に係る高周波処置システムの構成例の概略を示すブロック図である。
【図１９】図１９は、第２の実施形態に係る電気パラメータ検出部、特徴検出部及び停止信号生成部の構成例の概略を示すブロック図である。
【図２０】図２０は、第２の実施形態に係るバンドパスフィルタを通過後の高周波電流について説明するための図である。
【図２１】図２１は、第３の実施形態に係る高周波処置システムの構成例の概略を示すブロック図である。
【図２２】図２２は、第３の実施形態に係る電源装置の動作の概略を説明するためのフローチャートである。
【発明を実施するための形態】
【００１１】
［第１の実施形態］
本発明の第１の実施形態について図面を参照して説明する。本実施形態に係る高周波処置システム１の構成例の概略を示すブロック図を図１に示す。図１に示すように、高周波処置システム１は、処置の対象となる生体組織９０に高周波の電力を印加するための第１の電極４０と第２の電極５０とを備える。高周波処置システム１は、第１の電極４０及び第２の電極５０に電力を供給する電源装置１０と、電源装置１０から第１の電極４０及び第２の電極５０への電力の供給のオン又はオフを切り替えるために術者が操作するスイッチ６０とを備える。
【００１２】
電源装置１０は、Ｃｅｎｔｒａｌ  Ｐｒｏｃｅｓｓｉｎｇ  Ｕｎｉｔ（ＣＰＵ）１０４と、制御部１０８と、出力部１１２と、電気パラメータ検出部１１６と、過剰出力抑制部１２０とを備える。
【００１３】
制御部１０８は、第１の電極４０及び第２の電極５０への電力の供給を制御する。制御部１０８は、例えばＣＰＵ、又はＡｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）等を含む。制御部１０８は、出力のオン又はオフに係る情報や、出力すべき電流又は電圧に係る情報を、出力部１１２へと出力する。
【００１４】
出力部１１２は、制御部１０８の制御下で、電力を出力する。すなわち、出力部１１２は、制御部１０８が指定した電圧を第１の電極４０及び第２の電極５０を含む回路に印加したり、制御部１０８が指定した電流を当該回路に流したりする。出力された電力は、電気パラメータ検出部１１６を介して第１の電極４０及び第２の電極５０へと供給される。
【００１５】
電気パラメータ検出部１１６は、出力部１１２からの出力を検出する。電気パラメータ検出部１１６は、第１の電極４０及び第２の電極５０に印加される電圧や、第１の電極４０及び第２の電極５０を流れる電流に係る信号を出力情報として取り出す。
【００１６】
ＣＰＵ１０４は、電源装置１０の各部の動作を制御する。例えば、ＣＰＵ１０４は、出力を行うべき旨の指示がスイッチ６０へ入力されたことを検出し、電源装置１０が出力を行うべき旨及び出力強度等の情報を制御部１０８に出力する。電源装置１０は、出力についてフィードバック制御を行う。このため、ＣＰＵ１０４は、電気パラメータ検出部１１６から現在の出力に係る情報を取得し、その情報等に基づいて、その後に行われるべき出力を決定する。
【００１７】
過剰出力抑制部１２０は、電源装置１０からの出力が過剰になることを防止する。過剰出力抑制部１２０は、出力をモニタリングして過剰な出力が生じる兆候を検出し、その兆候が検出されたときは出力部１１２に電力の供給を停止させる。過剰出力抑制部１２０は、特徴検出部１３０と停止信号生成部１７０とを備える。
【００１８】
特徴検出部１３０は、電気パラメータ検出部１１６から出力情報を取得し、その情報から過剰な出力がされる前に生じる特徴的な電流又は電圧の変化を検出する。特徴検出部１３０は、特徴的な電流又は電圧の変化を検出したら、その旨を停止信号生成部１７０へと出力する。
【００１９】
停止信号生成部１７０は、タイマ回路１７１を有する。停止信号生成部１７０は、特徴検出部１３０から特徴的な電流又は電圧の変化を検出した旨を取得したら、出力部１１２へと出力を停止すべき旨の出力停止信号を出力する。ここで、停止信号生成部１７０は、タイマ回路１７１で計測された期間だけ、出力部１１２に出力停止信号を出力する。
【００２０】
図１に示した高周波処置システム１の一例として、モノポーラ型の高周波処置具を含む高周波処置システム１の外観の一例を図２に示す。図２に示すように、高周波処置システム１は、生体組織９０を凝固又は切開するための高周波処置具４１を備える。高周波処置具４１は、第１の電極４０として機能する電極４２を有する。また、高周波処置具４１は、スイッチ６０として機能する出力スイッチ４３を有する。出力スイッチ４３は、切開モードにおける出力をオン又はオフに切り替えるスイッチと、凝固モードにおける出力をオン又はオフに切り替えるスイッチとを含む。また、高周波処置システム１は、第２の電極５０として機能する対極板５２を備える。また、高周波処置システム１は、出力スイッチ４３と同様の機能を有するフットスイッチ６２を備える。高周波処置具４１と対極板５２とフットスイッチ６２とは、電源装置１０に接続されている。
【００２１】
処置においては、被処置者の体に対極板５２が貼付される。術者は、高周波処置具４１を保持し、切開又は凝固の対象となる部分に電極４２を接触させながら出力スイッチ４３又はフットスイッチ６２を用いて電力の供給をオンにする。その結果、処置対象となる部分において、組織の切開又は凝固が行われる。
【００２２】
ここでは、モノポーラ型の高周波処置具を例に挙げて説明したが、本実施形態に係る技術は、バイポーラ型の高周波処置具にも同様に適用され得る。バイポーラ型の高周波処置具の場合、例えば鉗子型をした処置具の一組の把持部材のうち、一方が第１の電極４０として機能し、他方が第２の電極５０として機能するように構成される。
【００２３】
次に、図１を参照して説明した電気パラメータ検出部１１６と特徴検出部１３０との具体的な構成の一例について図３を参照して説明する。
【００２４】
電気パラメータ検出部１１６は、図３に示すように、出力部１１２から出力された交流の電流の一部を、トランスと抵抗とを用いた回路を利用して、検出用電流として取り出す。この検出用電流は、特徴検出部１３０に入力される。
【００２５】
特徴検出部１３０には、第１のローパスフィルタ（ＬＰＦ）１３２と、コンパレータ１３１とが設けられている。特徴検出部１３０に入力された検出用電流は、２つに分岐される。分岐された検出用電流の一方を第１の高周波電流ＩＨＦ−１とし、他方を第２の高周波電流ＩＨＦ−２とする。第１の高周波電流ＩＨＦ−１は、コンパレータ１３１の反転入力端子に入力される。第２の高周波電流ＩＨＦ−２は、第１のＬＰＦ１３２に入力される。
【００２６】
第１のＬＰＦ１３２は、例えば抵抗とコンデンサによって構成されるローパスフィルタや、オペアンプを用いて構成されるローパスフィルタ等、電子素子によって構成される一般的なローパスフィルタである。第２の高周波電流ＩＨＦ−２は、第１のＬＰＦ１３２によって所定の周波数以上の高周波成分が遮断される。第１のＬＰＦ１３２を通過した第２の高周波電流ＩＨＦ−２は、コンパレータ１３１の非反転入力端子に入力される。
【００２７】
コンパレータ１３１の出力端子からは、第１の高周波電流ＩＨＦ−１と第２の高周波電流ＩＨＦ−２との比較結果に応じた比較信号が出力される。この比較信号は、停止信号生成部１７０へと入力される。
【００２８】
次に本実施形態に係る電源装置１０の動作について、図４に示すフローチャートを参照して説明する。図４に示す処理は、例えば電源装置１０の電源が投入されたときに開始する。
【００２９】
ステップＳ１０１において、電源装置１０は、出力を開始するか否かを判定する。すなわち、例えばＣＰＵ１０４は、スイッチ６０がオンになったか否かを判定する。出力を開始しないとき、処理はステップＳ１０８に進み、後述するように電源がオフにならない限りステップＳ１０１を繰り返して待機する。出力を開始するとき、処理はステップＳ１０２に進む。
【００３０】
ステップＳ１０２において、電源装置１０は、出力を開始する。すなわち、ＣＰＵ１０４は、出力すべき旨と出力電流に係る情報とを制御部１０８へと出力する。制御部１０８は、ＣＰＵ１０４から取得した情報に基づいて、出力部１１２の動作を制御する。出力部１１２は、制御部１０８の制御下で指定された高周波電流を出力する。出力された高周波電流は、電気パラメータ検出部１１６を介して第１の電極４０及び第２の電極５０と、第１の電極４０と第２の電極５０との間に配置された生体組織９０とを流れる。この電流によって、生体組織９０は、例えば第１の電極４０との接触部分において発熱する。この熱によって生体組織は例えば焼灼される。
【００３１】
このとき流れる電流について、図５乃至図７に示す模式図を参照して説明する。図５は、処置中における時間に対する電流の大きさを模式的に示す図である。図５の（ａ）に示す期間のように、第１の電極４０及び第２の電極５０が生体組織９０に接触しているとき、電流値はある一定の範囲で維持される。しかしながら、例えば第１の電極４０等が生体組織９０を把持する鉗子等の金属等に接触したとき、図５の（ｂ）に示す期間のように、電流値が非常に大きくなることがある。すなわち、過剰電流が流れることがある。この過剰電流は、金属等の接触状態が終了するとやがて低下し、図５の（ｃ）に示す期間のように、当初と同様に一定電流となる。図５の（ｂ）に示す期間のように過剰電流が流れることは、実際の電流値が制御の目標値と異なる状態にあることを意味し、好ましくない。本実施形態では、このような過剰電流の出力を抑制する。
【００３２】
図５の（ｄ）で示した期間について、時間軸を拡大して表した時間と電流との関係を図６に示す。図６に示すように、本実施形態ではｆ１で示される周期に係る基本周波数を有する交流電流が連続的に出力、又はｆ２で示される周期に係る繰り返し周波数ごとに間歇的に出力される。なお、基本周波数は、例えば４００乃至５００ｋＨｚといった周波数である。図６に示した期間において電流値は徐々に大きくなり始めている。
【００３３】
図６の（ｅ）で示した期間について、時間軸を拡大して表した時間と電流との関係を図７に示す。図７に示すように、（ｆ）で示された期間において、基本周波数よりも高い周波数を有する特徴的な波形が認められる。以降、このような特徴的な波形を特徴電流と称することにする。特徴電流の周波数は、例えば６ＭＨｚ程度である。本実施形態では、過剰電流の出力を抑制するために、特徴電流の検出が行われる。
【００３４】
図４に戻って説明を続ける。ステップＳ１０３において、電源装置１０は、特徴電流が検出されたか否かを判定する。すなわち、特徴検出部１３０において、出力電流に係る第１の高周波電流ＩＨＦ−１が、コンパレータ１３１の反転入力端子に入力される。第１の高周波電流ＩＨＦ−１と同様の電流であって第１のＬＰＦ１３２によって高周波成分がカットされた第２の高周波電流ＩＨＦ−２が、コンパレータ１３１の非反転入力端子に入力される。ここで、第１のＬＰＦ１３２の遮断周波数は、特徴電流の周波数よりも低く、基本周波数よりも高い周波数に設定されている。したがって、特徴電流が含まれない出力電流においては、コンパレータ１３１の反転入力端子に入力される信号と、コンパレータ１３１の非反転入力端子に入力される信号とには差異がない。一方、図７に示すような特徴電流が含まれる出力電流においては、コンパレータ１３１の反転入力端子に入力される信号は、図７に示すようなものであるが、非反転入力端子に入力される信号は、図８に示すようなものになる。すなわち、反転入力端子に入力される信号と非反転入力端子に入力される信号とには差異がある。以上のことから、特徴電流が存在しないときと存在するときとで、コンパレータ１３１の出力端子から出力される比較信号は異なるものとなる。停止信号生成部１７０は、この比較信号の変化に基づいて、特徴電流が存在するか存在しないかを判定する。特徴電流が検出されていないとき、処理はステップＳ１０６に進む。一方、特徴電流が検出されたとき、処理はステップＳ１０４に進む。
【００３５】
このように、第１の信号に相当する出力電流に係る第１の高周波電流ＩＨＦ−１と、第２の信号に相当する第１のＬＰＦ１３２によって高周波成分がカットされた第２の高周波電流ＩＨＦ−２とが比較され、第１の信号の信号値が第２の信号の信号値よりも大きくなったときに、特徴信号が検出されたと判定される。
【００３６】
ステップＳ１０４において、電源装置１０は、所定期間だけ出力を停止する。すなわち、停止信号生成部１７０は、停止信号を生成し、この停止信号を出力部１１２へと出力する。停止信号が出力される期間は、タイマ回路１７１でカウントされる所定期間である。この所定期間は、これに限らないが、例えば５０ミリ秒から１００ミリ秒程度の短期間である。停止信号を受信した出力部１１２は、停止信号を受信している期間だけ、出力を停止する。
【００３７】
ステップＳ１０５において、電源装置１０は、出力を再開する。すなわち、停止信号生成部１７０は、上述の所定期間だけ停止信号を出力した後、停止信号の出力を止める。その結果、出力部１１２は、所定期間出力を停止した後、再び出力を開始する。したがって、電源装置１０の出力の概略は、図９のようになる。すなわち、図９に示す時刻ｔ１において出力が停止し、所定の期間Ｐ１が経過した時刻ｔ２において出力が再開する。
【００３８】
ステップＳ１０６において、電源装置１０は、出力を終了させるか否かを判定する。すなわち、ＣＰＵ１０４は、スイッチ６０がオフになったか否かを判定する。出力を終了させないとき、処理はステップＳ１０３に戻る。すなわち、電源装置１０は、上述のステップＳ１０３乃至ステップＳ１０６の処理を繰り返す。一方、出力を終了させるとき、処理はステップＳ１０７に進む。
【００３９】
ステップＳ１０７において、電源装置１０は、出力を停止する。すなわち、ＣＰＵ１０４は、出力を停止すべき旨の情報を制御部１０８へと出力する。制御部１０８は、ＣＰＵ１０４から取得した情報に基づいて、出力部１１２の動作を制御して、出力を停止させる。
【００４０】
ステップＳ１０８において、電源装置１０は、電源装置１０の処理を終了するか否かを判定する。例えば電源装置１０の電源が切られたとき、電源装置１０の処理は終了する。終了しないとき、処理はステップＳ１０１に戻る。すなわち、電源装置１０は、上述のステップＳ１０１乃至ステップＳ１０８の処理を繰り返す。一方、終了するとき、当該処理は終了する。
【００４１】
本実施形態によれば、電源装置１０は、過剰電流が流れる兆候を検知し、この兆候を検知したときは過剰電流が流れる前に出力を短期間だけ停止する。その結果、過剰電流が流れることが防止される。すなわち、図５の（ｂ）の期間に示すような過剰電流は発生せず、図５の（ａ）の期間に示すように、安定した電流が維持される。このように、本実施形態に係る電源装置１０は、高い精度で電流の制御を行うことができる。なお、短期間の出力停止の後に出力は再開されるので、この出力停止が処置に与える影響は極わずかでありながら、有効に過剰電流の発生を抑制できる。
【００４２】
また、本実施形態に係る特徴検出部１３０は、例えばオペアンプ、抵抗、コンデンサ等といったハードウェアのみよって構成される。このため、特徴電流が発生したとき、特徴検出部１３０のコンパレータ１３１の出力端子から出力される比較信号は、数ナノ秒程度で変化する。この信号変化は、例えばＣＰＵを用いた演算が数ミリ秒を要することと比較して、桁違いに速い。
【００４３】
また、本実施形態のようにローパスフィルタを通過させる前後の信号の差異に基づいて特徴電流を検出する方法も、特徴電流の検出の精度を高めている。すなわち、図７に示すような特徴電流を検出する場合、ピーク検出回路を用いて特徴電流を検出することも可能である。しかしながら、例えば図１０に示すように、特徴電流の極大値が、電流波形の最大値よりも小さいとき、ピーク検出回路によっては、特徴電流を検出できない。これに対して本実施形態に係る特徴検出部１３０は、図１０に示すような特徴電流であっても検出することが可能である。
【００４４】
なお、ここでは、電源装置１０の出力制御は電流値制御で行われる場合を示した。しかしながらこれは一例であり、電圧値制御が行われても、電力値制御が行われてもよい。また、電極が鉗子等に接触したときに発生する制御の乱れを、電流値をモニタリングすることで検出する例を説明した。しかしながらこれに限らない。電圧値又は電力値をモニタリングすることで、出力が過剰となる前に発生する兆候を特徴信号として検出してもよい。
【００４５】
［第１の実施形態の第１の変形例］
第１の実施形態の第１の変形例について説明する。ここでは、第１の実施形態との相違点について説明し、同一の部分については、同一の符号を付してその説明を省略する。本変形例では、第１の実施形態とは特徴検出部１３０の構成が異なる。本変形例に係る特徴検出部１３０の構成例の概略を図１１に示す。
【００４６】
図１１に示すように、本変形例の特徴検出部１３０では、電気パラメータ検出部１１６から入力された検出用電流が第１の高周波電流ＩＨＦ−１と第２の高周波電流ＩＨＦ−２とに分岐する前にローパスフィルタを通過するように、当該分岐の前段に第２のローパスフィルタ（ＬＰＦ）１３３が設けられている。第２のＬＰＦ１３３は、誤検出防止のためにノイズを除去する目的で設けられている。ここで、第２のＬＰＦ１３３の遮断周波数は、特徴電流の周波数よりも高い。その他の構成は、第１の実施形態の場合と同様である。
【００４７】
本変形例によれば、第２のＬＰＦ１３３によって高周波成分を有するノイズが除去されるため、第１の実施形態の場合よりも検出精度が向上する。その他、第１の実施形態の場合と同様の効果が得られる。
【００４８】
［第１の実施形態の第２の変形例］
第１の実施形態の第２の変形例について説明する。ここでは、第１の実施形態との相違点について説明し、同一の部分については、同一の符号を付してその説明を省略する。本変形例では、第１の実施形態とは特徴検出部１３０の構成が異なる。本変形例に係る特徴検出部１３０の構成例の概略を図１２に示す。
【００４９】
図１２に示すように、本変形例の特徴検出部１３０では、電気パラメータ検出部１１６から入力された検出用電流が第１の高周波電流ＩＨＦ−１と第２の高周波電流ＩＨＦ−２とに分岐する。当該分岐と第１のＬＰＦ１３２との間に、電流値に正のバイアスをかける第１のバイアス部１３４が設けられている。したがって、第２の高周波電流ＩＨＦ−２は、正のバイアスがかけられた後、第１のＬＰＦ１３２を通過する。その他の構成は、第１の実施形態の場合と同様である。
【００５０】
本変形例に係る電流値及びコンパレータ１３１の出力について、図１３に示す模式図を参照して説明する。図１３の上段は、時間に対してコンパレータ１３１に入力される電流の変化を示している。この図において、実線は第１の高周波電流ＩＨＦ−１の変化を模式的に示し、破線は第２の高周波電流ＩＨＦ−２の変化を模式的に示す。この図に示すように、破線で示した第２の高周波電流ＩＨＦ−２は、第１のバイアス部１３４によって正のバイアスがかけられている。また、第２の高周波電流ＩＨＦ−２は、第１のＬＰＦ１３２によって、高周波成分である特徴電流が遮断されている。
【００５１】
実線で示した第１の高周波電流ＩＨＦ−１は、コンパレータ１３１の反転入力端子に入力される。一方、破線で示した正のバイアスがかけられて特徴電流が遮断された第２の高周波電流ＩＨＦ−２は、コンパレータ１３１の非反転入力端子に入力される。しがたって、第２の高周波電流ＩＨＦ−２の値の方が第１の高周波電流ＩＨＦ−１の値よりも大きいとき、コンパレータ１３１の出力である比較信号はハイレベルとなる。一方、第１の高周波電流ＩＨＦ−１の値の方が第２の高周波電流ＩＨＦ−２の値よりも大きいとき、コンパレータ１３１の出力である比較信号はローレベルとなる。ここで、特徴電流の振幅が第１のバイアス部１３４によってかけられるバイアス値よりも大きいとき、図１３の下段に示すように、特徴電流が生じているときにおいてコンパレータ１３１の出力はローレベルとなる。
【００５２】
本実施形態では、停止信号生成部１７０は、コンパレータ１３１の出力である比較信号がローレベルとなったとき、停止信号を出力する。
【００５３】
このように、第３の信号に相当する正のバイアスがかけられて特徴電流が遮断された第２の高周波電流ＩＨＦ−２と、第１の信号に相当する第１の高周波電流ＩＨＦ−１とが比較され、第１の信号の信号値が第３の信号の信号値よりも大きくなったときに、特徴信号が検出されたと判定され得る。
【００５４】
本変形例によれば、特徴検出部１３０は、第１の実施形態の場合と比較して、より高精度に特徴電流の検出を行うことができる。その他、第１の実施形態の場合と同様の効果が得られる。
【００５５】
本変形例では、第２の高周波電流ＩＨＦ−２に正のバイアスをかけているが、これに代えて、第１の高周波電流ＩＨＦ−１に負のバイアスをかけても同様である。また、本変形例においても、第１の変形例のように、ノイズ除去のためのローパスフィルタが設けられてもよい。また、第１のＬＰＦ１３２と第１のバイアス部１３４との順序は、逆でもよい。
【００５６】
このように、第１の高周波電流ＩＨＦ−１に負のバイアスをかけられた第５の信号に相当する信号と、第２の信号に相当する正のバイアスがかけられていない第２の高周波電流ＩＨＦ−２とが比較され、第５の信号の信号値が第２の信号の信号値よりも大きくなったときに、特徴信号が検出されたと判定され得る。
【００５７】
［第１の実施形態の第３の変形例］
第１の実施形態の第３の変形例について説明する。ここでは、第１の実施形態の第２の変形例との相違点について説明し、同一の部分については、同一の符号を付してその説明を省略する。本変形例では、第１の実施形態の第２の変形例とは特徴検出部１３０の構成が異なる。第１の実施形態の第２の変形例では、特徴検出部１３０は、正の特徴電流を検出するために、第２の高周波電流ＩＨＦ−２に正のバイアスをかけている。これに対して本変形例では、特徴検出部１３０は、第２の高周波電流ＩＨＦ−２に負のバイアスもかけて、負の特徴電流を検出することができるように構成されている。本変形例に係る特徴検出部１３０の構成例の概略を図１４に示す。
【００５８】
図１４に示すように、本変形例の特徴検出部１３０では、電気パラメータ検出部１１６から入力された検出用電流は、第１の高周波電流ＩＨＦ−１と第２の高周波電流ＩＨＦ−２と第３の高周波電流ＩＨＦ−３と第４の高周波電流ＩＨＦ−４とに分岐する。
【００５９】
特徴検出部１３０は、第１のコンパレータ１４１と第２のコンパレータ１４４とを備える。第１の高周波電流ＩＨＦ−１は、第１のコンパレータ１４１の反転入力端子に入力される。特徴検出部１３０は、第２の高周波電流ＩＨＦ−２に正のバイアスをかけるための第１のバイアス部１４３と、バイアスがかけられた第２の高周波電流ＩＨＦ−２の特徴電流等の高周波成分を遮断するための第１のＬＰＦ１４２とを備える。第２の高周波電流ＩＨＦ−２は、第１のバイアス部１４３によって正のバイアスをかけられ、その後、第１のＬＰＦ１４２を通過して、第１のコンパレータ１４１の非反転入力端子に入力される。
【００６０】
第３の高周波電流ＩＨＦ−３は、第２のコンパレータ１４４の非反転入力端子に入力される。特徴検出部１３０は、第４の高周波電流ＩＨＦ−４に負のバイアスをかけるための第２のバイアス部１４６と、バイアスがかけられた第４の高周波電流ＩＨＦ−４の特徴電流等の高周波成分を遮断するための第２のＬＰＦ１４５とを備える。第４の高周波電流ＩＨＦ−４は、第２のバイアス部１４６によって負のバイアスをかけられ、その後、第２のＬＰＦ１４５を通過して、第２のコンパレータ１４４の反転入力端子に入力される。
【００６１】
本変形例に係る電流値及び第１のコンパレータ１４１及び第２のコンパレータ１４４の出力について、図１５に示す模式図を参照して説明する。図１５の上段は、時間に対する第１のコンパレータ１４１及び第２のコンパレータ１４４に入力される電流の変化を示している。この図において、実線は第１の高周波電流ＩＨＦ−１及び第３の高周波電流ＩＨＦ−３の変化を模式的に示し、破線は第２の高周波電流ＩＨＦ−２の変化を模式的に示し、一点鎖線は第４の高周波電流ＩＨＦ−４の変化を模式的に示す。第１の高周波電流ＩＨＦ−１及び第３の高周波電流ＩＨＦ−３には、負の特徴電流が発生している。
【００６２】
図１５に示すように、破線で示した第２の高周波電流ＩＨＦ−２は、第１のバイアス部１４３によって正のバイアスがかけられている。また、第２の高周波電流ＩＨＦ−２は、第１のＬＰＦ１４２によって、高周波成分である特徴電流が遮断されている。また、一点鎖線で示した第４の高周波電流ＩＨＦ−４は、第２のバイアス部１４６によって負のバイアスがかけられている。また、第４の高周波電流ＩＨＦ−４は、第２のＬＰＦ１４５によって、高周波成分である特徴電流が遮断されている。
【００６３】
図１５の中段は、第１のコンパレータ１４１の出力を模式的に示し、図１５の下段は、第２のコンパレータ１４４の出力を模式的に示す。第２の高周波電流ＩＨＦ−２は、常に第１の高周波電流よりも大きいので、第１のコンパレータ１４１の出力は、常にハイレベルとなっている。一方、第３の高周波電流ＩＨＦ−３は、基本的に第４の高周波電流ＩＨＦ−４よりも大きいので、そのときは、第２のコンパレータ１４４の出力は、ハイレベルとなっている。ここで、負の特徴電流が発生しているとき、第４の高周波電流ＩＨＦ−４が第３の高周波電流ＩＨＦ−３よりも大きくなるので、このとき、第２のコンパレータ１４４の出力は、ローレベルとなる。
【００６４】
図１５に示す例は、特徴電流が負である場合である。特徴電流が正である場合には、第２の変形例の場合と同様に、第１のコンパレータ１４１の出力が、特徴電流が発生しているときにハイレベルからローレベルに切り替わる。
【００６５】
このように、第４の信号に相当する、第２のバイアス部１４６によって負のバイアスをかけられて、第２のＬＰＦ１４５を通過した第４の高周波電流ＩＨＦ−４と、第１の信号に相当する第３の高周波電流ＩＨＦ−３とが比較され、第１の信号の信号値が第４の信号の信号値よりも小さくなったときに、特徴信号が検出されたと判定され得る。
【００６６】
本実施形態によれば、特徴検出部１３０は、第１の実施形態の場合と比較して、より高精度に特徴電流の検出を行うことができ、さらに、正の特徴電流も負の特徴電流も検出することができる。
【００６７】
本変形例では、第２の高周波電流ＩＨＦ−２に正のバイアスをかけ、第４の高周波電流ＩＨＦ−４に負のバイアスをかけているが、これに代えて、第１の高周波電流ＩＨＦ−１に負のバイアスをかけ、第３の高周波電流ＩＨＦ−３に正のバイアスをかけても同様である。また、本変形例においても、第１の変形例のように、ノイズ除去のためのローパスフィルタが設けられてもよい。
【００６８】
このように、第３の高周波電流ＩＨＦ−３に正のバイアスをかけられた第６の信号に相当する信号と、第２の信号に相当する負のバイアスをかけられていない第４の高周波電流ＩＨＦ−４とが比較され、第６の信号の信号値が第２の信号の信号値よりも小さくなったときに、特徴信号が検出されたと判定され得る。
【００６９】
［第１の実施形態の第４の変形例］
第１の実施形態の第４の変形例について説明する。ここでは、第１の実施形態との相違点について説明し、同一の部分については、同一の符号を付してその説明を省略する。本変形例では、第１の実施形態とステップＳ１０４において行われる出力の停止に係る動作が異なる。すなわち、第１の実施形態では、特徴電流が検出されたとき、図９に示すように所定の期間Ｐ１の間出力が停止される。これに対して本変形例では、図１６に示すように、特徴電流が検出されたとき、所定の期間Ｐ１の間だけ、出力が半分（電流値が半分）に低減させられる。
【００７０】
本変形例によれば、特徴電流が計測されたときも、一定程度の出力が維持されるので、過剰電流が抑制されつつ、高周波処置具としての機能もある程度維持される。なお、所定期間Ｐ１における出力は、通常時の半分に限らずどのような値でもよい。ただし、過剰電流が抑制される程度に低い電流値であることが必要である。
【００７１】
なお、本変形例は、第１の実施形態のみならず、その第１乃至第３の変形例に対しても適用され得ることはもちろんである。また、電流値を下げる代わりに、所定期間Ｐ１の間出力のオン及びオフを繰り返し切り替えて、出力を間歇的とするように構成されてもよい。
【００７２】
［第１の実施形態の第５の変形例］
第１の実施形態の第５の変形例について説明する。ここでは、第１の実施形態との相違点について説明し、同一の部分については、同一の符号を付してその説明を省略する。本変形例では、第１の実施形態とステップＳ１０５において行われる出力の再開に係る動作が異なる。すなわち、第１の実施形態では、図９に示すように、所定の期間Ｐ１だけ出力が停止された後、直ちに当初の出力まで出力電流が戻る。これに対して、本変形例では、図１７に示すように、所定の期間Ｐ１だけ出力が停止された後、出力が徐々に増加していき、時間をかけて当初の出力まで戻る。
【００７３】
第１の実施形態のように出力が停止された後、直ちに出力が当初のレベルまで戻ると、出力再開時に過剰電流の出力が生じる恐れがある。これに対して、本変形例によれば、出力レベルが徐々に増加していくので、過剰電流の出力が生じる恐れがあるときには、過剰電流の出力が生じる前に再び特徴電流が検出されて出力が抑制される。その結果、確実に過剰電流の出力が抑制される。
【００７４】
なお、本変形例は、第１の実施形態のみならず、その第１乃至第４の変形例に対しても適用され得ることはもちろんである。
【００７５】
［第１の実施形態の第６の変形例］
第１の実施形態の第６の変形例について説明する。ここでは、第１の実施形態との相違点について説明し、同一の部分については、同一の符号を付してその説明を省略する。本変形例に係る高周波処置システム１は、高周波電力を用いた処置に加えて、超音波エネルギーによる処置も行えるように構成されている。
【００７６】
本変形例に係る高周波処置システム１の構成例の概略を図１８に示す。図１８に示すように、本変形例に係る電源装置１０及びスイッチ６０の構成は、第１の実施形態の電源装置１０及びスイッチ６０と同様である。本変形例に係る高周波処置システム１には、超音波−高周波処置具４８が設けられている。超音波−高周波処置具４８は、第１の実施形態に係る第１の電極４０に相当する第１の電極４４を備える。さらに、超音波−高周波処置具４８は、第１の電極４４を超音波振動させるための振動源である超音波振動子４６を備える。高周波処置システム１には、さらに、超音波振動子の動作を制御するための超音波処置制御装置３０が設けられている。超音波処置制御装置３０は、超音波信号生成部３２を備える。超音波信号生成部３２は、超音波振動子４６を駆動するための信号を生成する。また、本変形例に係る高周波処置システム１は、第１の実施形態に係る第２の電極５０に相当する第２の電極５４を備える。第２の電極５４は、対極板として機能する。
【００７７】
本変形例に係る超音波−高周波処置具４８は、処置対象である生体組織に接触して、高周波電力を供給することにより発生する熱と、超音波振動により発生する熱とによって、処置を行う。
【００７８】
本変形例における、高周波処置装置としての動作は、第１の実施形態の場合と同様であり、同様の効果が得られる。さらに、本変形例では、超音波処置制御装置３０の制御下で、超音波振動子４６が超音波振動し、この振動が第１の電極４４に伝達される。その結果、第１の電極４４の振動によっても生体組織が処置される。なお、電源装置１０の動作と超音波処置制御装置３０の動作とが連動してもよいことはもちろんである。このため、電源装置１０と超音波処置制御装置３０とは、情報を交換し合うように構成され得る。
【００７９】
なお、本変形例は、第１の実施形態のみならず、その第１乃至第５の変形例に対しても適用され得ることはもちろんである。
【００８０】
なお、超音波−高周波処置具４８は、例えば鉗子型の形状をしており、一対の把持部材が第１の電極４４及び第２の電極５４であって一対のバイポーラ電極として機能するように構成されていてもよい。この場合、一対の把持部材のうち一方は、超音波の周波数で振動する。この場合、超音波−高周波処置具４８は、処置対象である組織を把持し、高周波電力を供給することにより発生する熱と、超音波振動により発生する熱、機械適応力とによって、例えば凝固・切開などの処置を行う。
【００８１】
［第２の実施形態］
第２の実施形態について説明する。ここでは、第１の実施形態との相違点について説明し、同一の部分については、同一の符号を付してその説明を省略する。第２の実施形態に係る高周波処置システム１は、第１の実施形態に係る高周波処置システム１とは特徴検出部１３０の構成が異なる。すなわち、第１の実施形態に係る高周波処置システム１では、特徴検出部１３０には入力された検出用電流を２つに分岐させ、一方の検出用電流はローパスフィルタを通過させ、その電流を他方のローパスフィルタを通過していない検出用電流と比較するコンパレータを設けることで、特徴電流を検出している。これに対して、本実施形態に係る特徴検出部１３０は、バンドパスフィルタを備える。
【００８２】
本実施形態に係る特徴検出部１３０の構成例の概略を図１９に示す。図１９に示すように、特徴検出部１３０は、バンドパスフィルタ１５２を備える。このバンドパスフィルタ１５２は、特徴電流の周波数に相当する周波数の信号を通過させるバンドパスフィルタである。
【００８３】
電気パラメータ検出部１１６で取り出された検出用電流としての第５の高周波電流ＩＨＦ−５は、特徴検出部１３０に入力される。この第５の高周波電流ＩＨＦ−５は、例えば図６及び図７に示すような波形を有する。バンドパスフィルタ１５２は、特徴電流に相当する周波数の信号を通過させるので、例えば図７に示すような第５の高周波電流ＩＨＦ−５がバンドパスフィルタ１５２に入力されると、バンドパスフィルタ１５２を通過した第６の高周波電流ＩＨＦ−６は、図２０に示すような波形を有することになる。
【００８４】
バンドパスフィルタ１５２を通過した第６の高周波電流ＩＨＦ−６は、停止信号生成部１７０に入力される。停止信号生成部１７０は、入力された第６の高周波電流ＩＨＦ−６について図２０に示すようにピークを含む信号が認められたとき、停止信号を生成して、この停止信号を出力する。電源装置１０のその他の構成及び動作は、第１の実施形態の場合と同様である。
【００８５】
本実施形態によれば、第１の実施形態と同様に、電源装置１０は、過剰電流が流れる兆候を検知し、過剰電流が流れる前に出力を短期間だけ停止する。その結果、過剰電流が流れることが防止される。その結果、本実施形態に係る電源装置１０は、高い精度で電流の制御を行うことができる。本実施形態の構成によっても、高速で正確な特徴電流の検出が行われ得る。
【００８６】
なお、本実施形態は、第１の実施形態の第４乃至第６の変形例に対しても適用され得ることはもちろんである。
【００８７】
［第３の実施形態］
第３の実施形態について説明する。ここでは、第１の実施形態との相違点について説明し、同一の部分については、同一の符号を付してその説明を省略する。第１の実施形態では、特徴検出部１３０は、過剰な電力投入の兆候を検出するために電流値をモニタリングしている。これに対して、本実施形態に係る特徴検出部１３０は、電流値と電圧値とのうち高い精度が得られる方を用いて過剰な電力投入の兆候を検出する。
【００８８】
電源装置１０が出力する高周波電流が流れる回路のインピーダンスが低いとき、出力は大電流、低電圧となる。このような場合、特徴検出部１３０は、電流をモニタリングする。一方、電源装置１０が出力する高周波電流が流れる回路のインピーダンスが高いとき、出力は小電流、高電圧となる。このような場合、特徴検出部１３０は、電圧をモニタリングする。
【００８９】
本実施形態に係る高周波処置システム１の構成例の概略を図２１に示す。図２１に示すように、本実施形態の高周波処置システム１は、第１の実施形態に係る高周波処置システム１とは特徴検出部１３０の構成が異なる。本実施形態に係る特徴検出部１３０は、インピーダンス算出回路１６１と切替回路１６２と特徴電流検出部１６３と特徴電圧検出部１６４とを備える。
【００９０】
インピーダンス算出回路１６１は、電源装置１０が出力する高周波電流が流れる回路のインピーダンスを算出する。インピーダンス算出回路１６１は、得られたインピーダンスの値を切替回路１６２へと出力する。切替回路１６２は、インピーダンス算出回路１６１が算出したインピーダンスの値に応じて、電流によるモニタリングをするか電圧によるモニタリングをするかを決定する。電流によるモニタリングを行うとき、切替回路１６２は、特徴電流検出部１６３に特徴電流の検出を行わせる。一方、電圧によるモニタリングを行うとき、切替回路１６２は、特徴電圧検出部１６４に特徴電圧の検出を行わせる。
【００９１】
特徴電流検出部１６３は、第１の実施形態又はその変形例に係る特徴検出部１３０と同様の構成を有しており、特徴電流の検出を行う。特徴電流検出部１６３は、特徴電流の有無に係る信号を停止信号生成部１７０へと出力する。
【００９２】
特徴電圧検出部１６４は、電圧値をモニタリングする。図５乃至図７には電気パラメータ検出部１１６で取り出される電流値の波形を示したが、電気パラメータ検出部１１６で取り出される電圧値の波形も図５乃至図７と同様の形状を示す。特徴電圧検出部１６４は、特徴電流検出部１６３と同様に、電圧値の波形に基づいて、基本周波数よりも高い周波数を有する特徴電圧を検出する。特徴電圧検出部１６４は、特徴電圧の有無に係る信号を停止信号生成部１７０へと出力する。その他の構成は、第1の実施形態の場合と同様である。
【００９３】
本実施形態に係る電源装置１０の動作について、図２２に示すフローチャートを参照して説明する。図２２に示す処理は、例えば電源装置１０の電源が投入されたときに開始する。
【００９４】
ステップＳ２０１において、電源装置１０は、出力を開始するか否かを判定する。すなわち、例えばＣＰＵ１０４は、スイッチ６０がオンになったか否かを判定する。出力を開始しないとき、処理はステップＳ２１０に進み、後述するように電源がオフにならない限りステップＳ２０１を繰り返して待機する。出力を開始するとき、処理はステップＳ２０２に進む。
【００９５】
ステップＳ２０２において、電源装置１０は、出力を開始する。すなわち、ＣＰＵ１０４は、出力すべき旨と出力電流に係る情報とを制御部１０８へと出力する。制御部１０８は、ＣＰＵ１０４から取得した情報に基づいて、出力部１１２の動作を制御する。出力部１１２は、制御部１０８の制御下で指定された高周波電流を出力する。出力された高周波電流は、電気パラメータ検出部１１６を介して第１の電極４０と第２の電極５０とを流れる。
【００９６】
ステップＳ２０３において、電源装置１０は、インピーダンスは所定の閾値よりも低いか否かを判定する。すなわち、特徴検出部１３０のインピーダンス算出回路１６１は、回路のインピーダンスを算出する。特徴検出部１３０の切替回路１６２は、算出されたインピーダンスが所定の閾値よりも低いか否かを判定する。所定の閾値は、例えば１０００Ω等である。インピーダンスが閾値よりも低いとき、処理はステップＳ２０４に進む。
【００９７】
ステップＳ２０４において、電源装置１０は、特徴電流が検出されたか否かを判定する。すなわち、検出用電流は、特徴電流検出部１６３を流れて、特徴電流検出部１６３で処理された信号が停止信号生成部１７０へと入力される。停止信号生成部１７０は、入力された信号に基づいて、特徴電流が検出されたか否かを判定する。特徴電流が検出されていないとき、処理はステップＳ２０７に進む。一方、特徴電流が検出されたとき、処理はステップＳ２０５に進む。
【００９８】
ステップＳ２０５において、電源装置１０は、所定期間出力を停止する。すなわち、停止信号生成部１７０は、停止信号を生成し、この停止信号を出力部１１２へと出力する。停止信号が出力される期間は、タイマ回路１７１でカウントされる所定期間である。停止信号を受信した出力部１１２は、停止信号を受信している期間だけ、出力を停止する。
【００９９】
ステップＳ２０６において、電源装置１０は、出力を再開する。すなわち、停止信号生成部１７０は、上述の所定期間だけ停止信号を出力した後、停止信号の出力を止める。その結果、出力部１１２は、再び出力を開始する。
【０１００】
ステップＳ２０７において、電源装置１０は、出力終了させるか否かを判定する。すなわち、ＣＰＵ１０４は、スイッチ６０がオフになったか否かを判定する。出力を終了させないとき、処理はステップＳ２０３に戻る。すなわち、電源装置１０は、上述のステップＳ２０３乃至ステップＳ２０７の処理を繰り返す。一方、出力を終了させるとき、処理はステップＳ２０９に進む。
【０１０１】
ステップＳ２０３の判定において、インピーダンスが所定の閾値より低くないと判定されたとき、処理はステップＳ２０８に進む。ステップＳ２０８において、電源装置１０は、特徴電圧が検出されたか否かを判定する。すなわち、検出用の電圧信号は、特徴電圧検出部１６４へと入力されて、特徴電圧検出部１６４で処理された信号が停止信号生成部１７０へと入力される。停止信号生成部１７０は、入力された信号に基づいて、特徴電圧が検出されたか否かを判定する。特徴電圧が検出されていないとき、処理はステップＳ２０７に進む。一方、特徴電圧が検出されたとき、処理はステップＳ２０５に進み、出力が所定期間停止される。
【０１０２】
ステップＳ２０９において、電源装置１０は、出力を停止する。ステップＳ２１０において、電源装置１０は、電源装置１０の処理を終了するか否かを判定する。例えば電源が切られたとき、電源装置１０の処理は終了する。終了しないとき、処理はステップＳ２０１に戻る。すなわち、電源装置１０は、上述のステップＳ２０１乃至ステップＳ２１０の処理を繰り返す。一方、終了するとき、当該処理は終了する。
【０１０３】
本実施形態によれば、第１の実施形態と同様に、電源装置１０は、過剰電流が流れる兆候を検知し、過剰電流が流れる前に出力を短期間だけ停止する。その結果、過剰電流が流れることが防止される。この過剰電流が流れる兆候を検出するにあたって、回路のインピーダンスに基づいて、電流値をモニタリングするか電圧値をモニタリングするかが切替えられる。この切替えによって、第１の実施形態のように電流値のみをモニタリングする場合と比較して、当該兆候の検出精度が向上する。その他、第１の実施形態と同様の効果が得られる。
【０１０４】
なお、本実施形態は、第１の実施形態の変形例並びに第２の実施形態に対しても適用され得ることはもちろんである。
【０１０５】
このように、電源装置１０から過剰な電力が出力される際には、出力電力の基本周波数（第１の周波数）よりも高い第２の周波数を有する特徴電力が発生する。この特徴電力は、電流値と電圧値と電力値とのうち何れの信号値に基づいて特徴信号として検出されてもよい。すなわち、第１の実施形態及び第２の実施形態においても、特徴電力の検出のために、電流値がモニタリングされても電圧値がモニタリングされても電力値がモニタリングされてもよい。また、電源装置１０の出力については、電流値に基づく制御、電圧値に基づく制御、及び電力値に基づく制御のうち、何れの方式が用いられてもよい。
【要約】
生体組織に対して高周波処置を施す高周波処置具のための電源装置（１０）は、出力部（１１２）と、特徴検出部（１３０）と、停止信号生成部（１７０）とを備える。出力部（１１２）は、高周波処置具に供給する第１の周波数を有する電力を出力する。特徴検出部（１３０）は、出力部１１２から出力される電力が過剰となる前に発生する特徴信号であって、前記電力に含まれている第１の周波数よりも高い第２の周波数を有する特徴信号を検出する。停止信号生成部（１７０）は、特徴信号が検出されたときに、出力部（１１２）による電力の出力を、停止又は低減させるための停止信号を出力する。【図１】
0006033511.tif 000002
【図２】
0006033511.tif 000003
【図３】
0006033511.tif 000004
【図４】
0006033511.tif 000005
【図５】
0006033511.tif 000006
【図６】
0006033511.tif 000007
【図７】
0006033511.tif 000008
【図８】
0006033511.tif 000009
【図９】
0006033511.tif 000010
【図１０】
0006033511.tif 000011
【図１１】
0006033511.tif 000012
【図１２】
0006033511.tif 000013
【図１３】
0006033511.tif 000014
【図１４】
0006033511.tif 000015
【図１５】
0006033511.tif 000016
【図１６】
0006033511.tif 000017
【図１７】
0006033511.tif 000018
【図１８】
0006033511.tif 000019
【図１９】
0006033511.tif 000020
【図２０】
0006033511.tif 000021
【図２１】
0006033511.tif 000022
【図２２】
0006033511.tif 000023